(57)【要約】  【目的】  構造が簡単で、耐久性・コネクタモジュールの装着の作業性を向上させ、製造コストを抑えることができるコネクタモジュール用の保持フレームを提供する。【構成】  コネクタモジュール１００と、コネクタモジュール１００を収容するフレーム２００と、コネクタモジュール１００をフレーム２００に固定する固定手段３００とを有し、コネクタモジュール１００とフレーム２００とには、固定手段３００を差し込む挿入部４００が設けられていることを特徴とする。  【選択図】  図６
2010080083.tif 000002
【特許請求の範囲】
【請求項１】
コネクタモジュールと、コネクタモジュールを収容するフレームと、コネクタモジュールをフレームに固定する固定手段とを有し、
前記フレームと前記コネクタモジュールには、前記固定手段を差し込む挿入部が設けられていることを特徴とするコネクタモジュール用の保持フレーム。  
【請求項２】
前記フレームは、コネクタモジュールを並列に配列して収容するように形成されたことを特徴とする請求項１記載のコネクタモジュール用の保持フレーム。
【請求項３】
前記固定手段は、１つ以上の前記コネクタモジュールをフレームに固定する構成を有することを特徴とする請求項１記載のコネクタモジュール用の保持フレーム。
【請求項４】
前記フレームに対向する前記コネクタモジュール壁面の中央には、前記フレームの内壁面を受ける受部が設けられるとともに、前記コネクタモジュールの両側には、前記固定手段を差し込む切欠部が設けられ、さらに、切欠部の基端には、前記コネクタモジュールの配置方向に向かって、凹凸溝が設けられ、
前記コネクタモジュールが収容される前記フレームの内壁面部位には、前記フレーム側に突出し前記受部の当接する当接部が設けられるとともに、前記コネクタモジュールが前記フレームに収容された時に、前記切欠部と向かい合う前記フレームの内壁面部位には、前記固定手段を係止する係止部が設けられ、
前記挿入部は、前記受部と前記切欠部と前記凹凸溝と前記当接部と前記係止部とからなることを特徴とする請求項１または３いずれか記載のコネクタモジュール用の保持フレーム。
【請求項５】
前記受部の終端側には、前記フレームへの収容方向を一方向に規制する規制部が設けられていることを特徴とする請求項４記載のコネクタモジュール用のフレーム。
【請求項６】
前記受部には、前記コネクタモジュールの収容方向に向かって突出部が設けられ、
前記当接部には、前記突出部に嵌合する凹部が設けられていることを特徴とする請求項４記載のコネクタモジュール用のフレーム。
【請求項７】
前記固定手段は、前記切欠部と前記係止部との間に形成された空間に差し込む爪部と、前記凹凸溝に嵌合する嵌合部とが設けられていることを特徴とする１または３いずれか記載のコネクタモジュール用の保持フレーム。  
【発明の詳細な説明】
【技術分野】
【０００１】
本発明は、１つ以上のコネクタモジュールを並列に配置されるコネクタモジュールを収容するためのコネクタモジュール用の保持フレームに関するものである。
【背景技術】
【０００２】
コネクタモジュール用の保持フレームは、特許文献１のような構成のものがある。
【特許文献１】特許第２８８８３３７号公報
【発明の開示】
【発明が解決しようとする課題】
【０００３】
特許文献１の図１から２に示すように、この文献に記載された構成は、凹部１１が、保持フレ−ム１の側部部分８に全面的に閉じた開口部として形成され、保持フレ−ム１が互いにヒンジ連結された２つの半部４、５からなる。
【０００４】
さらに、保持フレ−ム１の分離部がフレ−ムの側部部分８に対して横方向に設けられ、ヒンジ３が保持フレ−ム１の固定端部６に配置されている。また、保持フレ−ム１を固定面１５上にねじで留めるとフレ−ム部分が整合されて、保持フレ−ム１の側部部分８が固定面に対して直角に向けられ、かつコネクタモジユ−ル２が保持手段９を介して保持フレ−ム１と形状接続によって結合する。
【０００５】
特許文献１の構成は、保持フレ−ム１が２つに分割されているため、構造が複雑となり、コネクタモジュールの組み付け作業が煩雑になるとともに、部品点数が多くなりこれに伴うコスト（金型等）が発生し、製造コストが高くなってしまうおそれがある。また、コネクタモジュールを取り外すときは、特許文献１の図１に示すように、各々半部を開いて行う構成であるため、独立してコネクタモジュールの着脱作業を行うことができない。
【０００６】
また、特許文献１の図１〜３に示すように、保持フレーム１およびコネクタモジュール２が方形であること、コネクタモジュール２の保持フレーム１への装着が、コネクタモジュール２の保持手段９をフレーム半部４、５の凹部１１に嵌め込む構成であるため、コネクタモジュールの装着方向がわかりにくいものであった。
【０００７】
さらに、コネクタモジュール２の保持フレーム１に装着する時に、一旦、コネクタモジュールの２の係止部１０がフレーム半部４、５の下縁部１２と係合して仮装着するため、装着方向を間違えた場合には、この仮装着をマイナスドライバ等の工具を使って、係止部１０と下縁部１２の係合を解除する必要があった。
【０００８】
加えて、コネクタモジュール２の保持フレーム１は、上で述べたように、コネクタモジュール２を保持フレーム１に差込んでいって、仮装着、装着する構成であるため、繰り返し、装着脱を繰り返すと、コネクタモジュール２の係止部１０が欠けてしまったり、変形してしまったりし、がたがある状態でコネクタモジュール２が装着されてしまうという問題があった。
【０００９】
このため、上記課題を解決するために本発明は、構造が簡単で、耐久性・コネクタモジュールの装着の作業性を向上させ、製造コストを抑えることができるコネクタモジュール用の保持フレームを提供することを目的とする。
【課題を解決するための手段】
【００１０】
上記の課題を解決するために、請求項１に記載した発明は、コネクタモジュールと、コネクタモジュールを収容するフレームと、コネクタモジュールをフレームに固定する固定手段とを有し、フレームとモジュールには、固定手段を差し込む挿入部が設けられていることを特徴とする。
【００１１】
請求項２に記載した発明は、フレームに、コネクタモジュールを並列に配列して収容するように形成されたことを特徴とする。請求項３に記載した発明は、固定手段は、１つ以上のコネクタモジュールをフレームに固定する構成を有することを特徴とする。
【００１２】
請求項４に記載した発明は、フレームに対向するコネクタモジュール壁面の中央には、フレームの内壁面を受ける受部が設けられるとともに、コネクタモジュールの両側には、固定手段を差し込む切欠部が設けられ、さらに、切欠部の基端には、コネクタモジュールの配置方向に向かって、凹凸溝が設けられ、コネクタモジュールが収容されるフレームの内壁面部位には、コネクタモジュールの受部の当接する当接部が設けられるとともに、コネクタモジュールがフレームに収容された時に、切欠部と向かい合うフレームの内壁面部位には、固定手段を係止する係止部が設けられ、挿入部は、受部と切欠部と凹凸溝と当接部と係止部とからなることを特徴とする。
【００１３】
請求項５に記載した発明は、受部の終端側に、フレームへの収容方向を一方向に規制する規制部が設けられていることを特徴とする。請求項６に記載した発明は、受部には、前記コネクタモジュールの収容方向に向かって突出部が設けられ、当接部には、突出部に嵌合する凹部が設けられていることを特徴とする。
【００１４】
請求項７に記載した発明は、固定手段を、切欠部と係止部との間に形成された空間に差し込む爪部と、凹凸溝に嵌合する嵌合部とが設けられていることを特徴とする。  
【発明の効果】
【００１５】
本発明により、挿入部へ固定手段を差し込んで、コネクタモジュールをフレームに装着するため、構成を簡単にするとともに作業性を向上させることができる。また、固定手段を、１つ以上のコネクタモジュールをフレームに固定する構成としたため、各コネクタモジュールの着脱を独立して行うことができる。
【００１６】
さらに、挿入部を、受部と切欠部と凹凸溝と当接部と係止部とから構成するとともに、受部の終端側に、フレームへの収容方向を一方向に規制する規制部を設けることにより、正確に装着方向を認識でき、装着の作業性を向上させることができる。
【発明を実施するための最良の形態】
【００１７】
本発明の実施形態を、図を用いて説明する。図１に本発明のコネクタモジュール用の保持フレームを示す。コネクタモジュール用の保持フレームは、コネクタモジュール１００と、コネクタモジュール１００を収容するフレーム２００と、コネクタモジュール１００をフレーム２００に固定する固定手段３００とからなり、フレーム２００にコネクタモジュール１００に装着すると一つのコネクタのように一体化される。
【００１８】
図２に示すように、コネクタモジュール１００は、方形の形状を成し、異なったタイプ、例えば、電気信号用や圧縮空気及び液体用のコンタクト部１６０またはインサート部１７０が設けられ、図示しない外部の接続部に接続される。コネクタモジュール１００は、難燃性の樹脂部材から形成され、後に述べるフレーム２００に一つ以上、並列に配置される。
【００１９】
また、コネクタモジュール１００は、フレーム２００に対向するコネクタモジュール１００壁面の中央に、フレーム２００の内壁面を受ける受部１１０が設けられている。受部１１０が形成された両側には切欠部１２０が設けられている。切欠部１２０（コンタクト部１６０またはインサート部１７０）の基端側には、コネクタモジュール１００の配置方向に向かって、コネクタモジュール１００の配置方向に向かって、凹凸溝１３０が設けられている。
【００２０】
さらに、受部１１０の終端側には、フレーム２００への収容方向を一方向に規制する規制部１４０が設けられている。規制部１４０は受部１１０より突出して形成されている。また、受部１１０には、規制部１４０の基端から凹凸溝１３０の間に、突出部１５０が設けられている。突出部１５０は、コネクタモジュール１００の収容方向に向かって形成されている。この構成により、フレーム２００に対するコネクタモジュール１００の装着方向を確実に認識して、ガタつきの無い状態でフレーム２００にコネクタモジュール１００を挿入することができる。
【００２１】
フレーム２００は、先に述べたように、コネクタモジュール１００を並列に収容するものであり、矩形に形成された金属性の材料からなる。なお、この実施の形態では、フレーム２００に収容されるコネクタモジュール１００は２個であるが２個以上であっても良い。
【００２２】
図２に示すように、フレーム２００は、当接部２１０と係止部２２０と切欠溝２４０とからなる。当接部２１０は、コネクタモジュール１００が収容されるフレーム２００の内壁面部位に設けられている。コネクタモジュール１００が差し込まれるフレーム２００の外周縁の一方には、ブッシュ２５０が設けられている。この構成により、対応する接続部材（図示なし）ととり間違えのない差し込みができる。
【００２３】
さらに、当接部２１０には、コネクタモジュール１００の突出部１５０が僅かに遊びを持った状態で嵌合される凹部２３０を設けている。この構成により、コネクタモジュール１００をフレーム２００に収容する際、凹部２３０に沿って突出部１５０を移動し、スムーズに作業を行うことができる。
【００２４】
さらに、また、係止部２２０は、後に述べる固定手段３００を係止するものであり、コネクタモジュール１００がフレーム２００に収容された時に、切欠部１２０と向かい合うフレーム２００の内壁面部位に設けられている。
【００２５】
コネクタモジュール１００の受部１１０が設けられたフレーム２００の縁に対して対向する縁には切欠溝２４０が設けられている。切欠溝２４０は、突出部１５０が嵌り込む形状を成し、必要以上のフレーム２００への差し込みを防止している。この構成により、フレーム２００へのコネクタモジュール１００の移動を規制し、コネクタモジュール１００の位置決めを行っている。
【００２６】
固定手段３００は、コネクタモジュール１００をフレーム２００に固定するものであり、プラスチック材料を一体成形したものであり、フレーム２００に収容するコネクタモジュール１００の数に対応して連なって形成されている。なお、実施の形態では、２個の固定手段３００が連なっている構成が示されているが、これに限定されることはなく、３個以上であってもよい。
【００２７】
図４に示すように、固定手段３００は、分離部３３０と爪部３１０と嵌合部３２０とからなる。分離部３３０は、コネクタモジュール１００間に対応する部位が薄くなっており、複数、コネクタモジュール１００が収容されるフレーム２００に１個のみを装着する場合には、その薄い部分を割ることにより、対応することができる。
【００２８】
爪部３１０は、フレーム２００にコネクタモジュール１００を収容したときに、切欠部１２０と係止部２２０との間に形成された空間に差し込むものである。爪部３１０は、弾性を持たせるとともに容易にこの空間差し込みができるように、フレーム２００の内壁側に湾曲している。さらに、嵌合部３２０は、爪部３１０の間に連結されたタブ部３４０に設けられたものであり、凹凸溝１３０に嵌合するものである。
【００２９】
以上の構成のもと、図５に示すように、矢印Ａ方向に、コネクタモジュール１００の突出部１５０がフレーム２００の切欠溝２４０に嵌合するまで、コネクタモジュール１００をフレーム２００に差し込み、コネクタモジュール１００をフレーム２００に収容させる。この間、コネクタモジュール１００は、突出部１５０がフレーム２００の凹部２３０に沿って移動する。
【００３０】
この時、図６、図７（ａ）に示すように、コネクタモジュール１００の切欠部１２０とフレーム２００の係止部２２０との間に空間ができ、受部１１０と切欠部１２０と凹凸溝１３０と当接部２１０と係止部２２０とにより、固定手段３００の挿入部４００が形成される。この後、図７（ａ）に示すように、固定手段３００の爪部３１０の先端をコネクタモジュール１００の切欠部１２０に突き当て、固定手段３００の端面をフレーム２００の上縁２００ａに当接させる。
【００３１】
次いで、フレーム２００の上縁２００ａの当接した固定手段３００の端面を支点として、矢印Ｂ方向に回転させて、固定手段３００を作用させる。これにより、固定手段３００の爪部３１０を、コネクタモジュール１００の切欠部１２０とフレーム２００の当接部２１０とで形成された空間、およびコネクタモジュール１００の切欠部１２０とフレームの係止部２２０とで形成された空間に、入り込ませる。
【００３２】
この間、固定手段３００は、爪部３１０が長く、加えて、フレーム２００の内壁面側に湾曲している構成であるため、先に述べた空間（切欠部１２０と当接部２１０とで形成された空間、切欠部１２０と係止部２２０とで形成された空間）内で、爪部３１０が変形した状態で入り込み、爪部３１０の弾性力で、爪部３１０がコネクタモジュール１００の外壁面とフレーム２００の内壁面とに係止される。
【００３３】
さらに、矢印Ｃ方向に詰め部２１０を回転させると、図７（ｂ）、図８に示すように、固定手段３００の嵌合部３２０がコネクタモジュール１００に設けられた凹凸溝１３０に嵌合され、固定手段３００を挿入部４００に差し込み、コネクタモジュール１００をフレーム２００に固定する。この時、嵌合した装着音がなり、これにより、フレーム２００へのコネクタモジュール１００の装着が完了する。このように、固定手段３００を挿入部４００に差し込み、コネクタモジュール１００をフレーム２００にこていすることにより、一つのコネクタのように一体化される。
【００３４】
このように、固定手段３００の爪部３１０が長く形成されているため、モジュール１００の外壁面とフレーム２００の内壁面とに接触する面積を広くなり、外部からの衝撃や振動によりコネクタモジュール１００がフレーム２００から外れることを確実に防止することができる。
【００３５】
これに加えて、図８に示すように、嵌合部３２０が凹凸溝１３０に嵌合されているため、固定手段３００は、コネクタモジュール１００とフレーム２００とを囲むように固定する構成となり、コネクタモジュールが複数収容可能なフレーム２００に、コネクタモジュール１００を歯抜けに収納しても、抜けた部分にダミーのコネクタモジュール２００を使用することなく、ガタを無くした状態でコネクタモジュール１００をフレーム２００に装着することができる。
【００３６】
なお、フレーム２００へのコネクタモジュール１００の装着を解除するときは図１、４および６に示すように、工具挿入部３５０に工具（例えばマイナスドライバー）に先端を挿入し、矢印Ｂ方向に逆回転させて、固定部材３００を作用させることにより行う。
【図面の簡単な説明】
【００３７】
【図１】本発明のコネクタモジュール用の肘フレームを示す概略図。
【図２】コネクタモジュールの詳細を示す斜視図。
【図３】フレームの詳細を示す斜視図。
【図４】固定部材の詳細を示す斜視図。
【図５】本発明のコネクタモジュール用フレームの組み立て図。
【図６】フレームにコネクタモジュールを装着した状態を示す断面図。
【図７】フレームにコネクタモジュールを装着したときの固定部材の作用図であり、（ａ）は、挿入部に仮取り付けした状態であり、（ｂ）はフレームにコネクタモジュールを装着したものである。
【図８】図６の上面図。
【符号の説明】
【００３８】
１００  コネクタモジュール
１１０  受部
１２０  切欠部
１３０  凹凸溝
１４０  規制部
１５０  突出部
２００  フレーム
２１０  当接部
２２０  係止部
２３０  凹部
３００  固定手段
３１０  爪部
３２０  嵌合部
４００  挿入部
【図１】
2010080083.tif 000003
【図２】
2010080083.tif 000004
【図３】
2010080083.tif 000005
【図４】
2010080083.tif 000006
【図５】
2010080083.tif 000007
【図６】
2010080083.tif 000008
【図７】
2010080083.tif 000009
【図８】
2010080083.tif 000010